(57)【要約】      （修正有）【課題】撮像装置が撮影可能状態にあるときに、撮影者がファインダから目を離すことなく、外部機器が受信した受信通知の内容を確認する。【解決手段】デジタルカメラ１０１は、システム制御部２５０と、表示部２２８と、撮影者が撮影を行うために操作するモード切替スイッチ２６０、レリーズボタン２６２、操作部２７０及び電源スイッチ２７２と、外部機器からの通知を受信する通信部２３３とを有する。システム制御部２５０は、撮影者が表示部２２８を見ており、且つ、操作部２７０等を操作してない場合に表示部２２８に通信部２３３が受信した通知を表示し、撮影者が表示部２２８を見ていない場合と、撮影者が表示部２２８を見ており、且つ、操作部２７０等を操作している場合に表示部２２８に通信部２３３が受信した通知を表示しないように表示部２２８の表示を制御する。【選択図】図２
2017092799.tif 000002
【特許請求の範囲】
【請求項１】
撮像手段と、
撮影者が前記撮像手段による撮影を行うために操作する操作手段と、
外部機器からの通知を受信する受信手段と、
前記撮像手段が撮影する被写体と前記受信手段が受信した通知を表示する表示手段と、
前記撮影者が前記表示手段を見ているか否かを検出する第１の検出手段と、
前記撮影者が前記操作手段を操作しているか否かを検出する第２の検出手段と、
前記撮影者が前記表示手段を見ており、且つ、前記操作手段を操作してない場合に前記表示手段に前記通知を表示し、前記撮影者が前記表示手段を見ていない場合と、前記撮影者が前記表示手段を見ており、且つ、前記操作手段を操作している場合には、前記表示手段に前記通知を表示しないように前記表示手段の表示を制御する制御手段と、を備えることを特徴とする撮像装置。
【請求項２】
前記制御手段は、前記受信手段が現在時刻の所定時間以内に受信した通知を前記表示手段に表示し、前記所定時間の経過後に前記表示手段での表示を消去することを特徴とする請求項１に記載の撮像装置。
【請求項３】
前記第１の検出手段による検出結果と前記第２の検出手段の検出結果を前記外部機器へ送信する送信手段を備えることを特徴とする請求項１又は２に記載の撮像装置。
【請求項４】
ウェアラブル機器であって、
外部機器から通知を受信する受信手段と、
装着者に装着された前記ウェアラブル機器の動きを検出する動き検出手段と、
前記ウェアラブル機器に所定の動きがあったことを前記動き検出手段が検出したときに、前記受信手段が受信した通知を別の外部機器へ転送する転送手段と、を備えることを特徴とするウェアラブル機器。
【請求項５】
前記外部機器は、表示手段と操作手段を有する撮像装置であり、
前記撮像装置から前記撮像装置での撮影状況に関する情報を受信する受信手段と、を備え、
前記転送手段は、前記受信手段が、前記撮像装置を操作する撮影者が前記表示手段を見ていないことを示す情報を受信した場合と、前記撮影者が前記表示手段を見ており、且つ、前記操作手段を操作していることを示す情報を受信した場合には、前記通知を前記撮像装置へ転送せず、前記撮影者が前記表示手段を見ており、且つ、前記操作手段を操作していないことを示す情報を受信した場合には前記通知を前記撮像装置へ転送することを特徴とする請求項４に記載のウェアラブル機器。
【請求項６】
前記ウェアラブル機器は、スマートウォッチであり、
前記動き検出手段は、前記スマートウォッチの装着者が前記スマートウォッチの盤面を見るように前記スマートウォッチを動かす動作であることを特徴とする請求項４又は５に記載のウェアラブル機器。
【請求項７】
前記ウェアラブル機器は、該ウェアラブル機器が前記装着者に装着されているか否かを検出する生体情報検出手段を有し、
前記転送手段は、前記生体情報検出手段が前記装着者に装着されていないことを検知している場合には、前記通知を前記外部機器へ転送しないことを特徴とする請求項４乃至６のいずれか１項に記載のウェアラブル機器。
【請求項８】
撮像装置の制御方法であって、
前記撮像装置に設けられた表示手段を撮影者が見ているか否かを検出するステップと、
前記撮像装置に設けられた操作手段を撮影のために前記撮影者が操作しているか否かを検出するステップと、
外部機器からの通知を受信する受信ステップと、
前記撮影者が前記表示手段を見ており、且つ、前記操作手段を操作してない場合に前記表示手段に前記通知を表示し、前記撮影者が前記表示手段を見ていない場合と、前記撮影者が前記表示手段を見ており、且つ、前記操作手段を操作している場合には、前記表示手段に前記通知を表示しないように前記表示手段での表示を制御するステップと、を有することを特徴とする撮像装置の制御方法。
【請求項９】
ウェアラブル機器の制御方法であって、
外部機器から通知を受信するステップと、
装着者に装着された前記ウェアラブル機器の動きを検出するステップと、
前記ウェアラブル機器に所定の動きがあったことが検出されたときに受信した前記通知を別の外部機器へ転送するステップと、を有することを特徴とするウェアラブル機器の制御方法。
【請求項１０】
表示手段と、通信手段と、撮影者が撮像手段による撮影を行うために操作する操作手段と、を有する撮像装置を制御するコンピュータを、
前記撮影者が前記表示手段を見ているか否かを検出する手段と、
前記撮影者が前記操作手段を操作しているか否かを検出する手段と、
前記通信手段が外部機器から通知を受信したか否かを判定する手段と、
前記通信手段が前記通知を受信したときに、前記撮影者が前記表示手段を見ており、且つ、前記操作手段を操作してない場合には、前記表示手段に前記通知を表示し、前記撮影者が前記表示手段を見ていない場合と、前記撮影者が前記表示手段を見ており、且つ、前記操作手段を操作している場合には、前記表示手段に前記通知を表示しないように前記表示手段の表示を制御する制御手段として機能させることを特徴とするプログラム。
【請求項１１】
通信手段を有するウェアラブル機器を制御するコンピュータを、
装着者に装着された前記ウェアラブル機器の動きを検出する動き検出手段と、
前記ウェアラブル機器に所定の動きがあったことを前記動き検出手段が検出したときに、前記通信手段が受信した通知を外部機器へ転送する転送手段として機能させることを特徴とするプログラム。
【発明の詳細な説明】
【技術分野】
【０００１】
本発明は、撮像装置、ウェアラブル機器、制御方法及びプログラムに関し、特に、撮像装置の使用中における撮像装置とウェアラブル機器との間の通信制御技術に関する。
【背景技術】
【０００２】
インターネットに常時接続が可能なスマートフォン等の携帯通信機器の普及が進んでおり、携帯通信機器のユーザは、希望するサービスからのメッセージをいつでもどこでも受信することができるようになってきている。しかし、スマートフォン等の携帯通信機器は、ユーザが手にとって使用する機器であるため、不使用時にはバッグやポケット等に入れられていることが多い。この場合、携帯通信機器がメッセージを受信しても、ユーザは、メッセージの受信に即座に気が付かないことが多々ある。このように、手にとって使用する機器では、携帯通信機器が受信したメッセージに対して適切に対応することができないことがある。
【０００３】
このような状況に対応するために、近年、常時身に付けて使用するスマートウォッチ等のウェアラブル機器が補助的に使われている。携帯通信機器は、メッセージを受信すると、ウェアラブル機器と通信を行い、メッセージを受信したことを示す通知（以下「受信通知」という）をウェアラブル機器へ送信する。そして、ウェアラブル機器は、受信通知を受信すると、携帯通信機器にメッセージが届いたことを振動等の動作によってユーザに気付かせる。
【０００４】
ウェアラブル機器は、携帯通信機器が受信したメッセージの重要度をユーザに判断させるために、受信通知の内容に基づき、例えば、メッセージの件名やアイコン等の簡単な表示を行う機能を有する。よって、ユーザは、ウェアラブル機器での表示に基づいてメッセージの重要度を判断し、必要に応じて携帯通信機器を手にとってメッセージの内容の詳細を確認することができる。
【０００５】
しかしながら、ウェアラブル機器が受信通知を受信したことを振動等によりユーザに知らせることが、ユーザが行おうとしている作業や動作の妨げになる場合がある。例えば、スポーツ選手の撮影や野鳥観察等の動く被写体を追い続けるような写真撮影時には、撮影者は、シャッタチャンスを逃さないために、撮像装置のファインダを通して撮影対象を集中して観察し続けなければならない。このような状況下において、撮影者は、ウェアラブル機器の動作によりウェアラブル機器が受信通知を受信したことを知ったときに受信通知に係るメッセージの重要度を確認するためには、ファインダから目を離してウェアラブル機器の表示を確認する必要がある。その結果、重要ではなかったメッセージのために、シャッタチャンスを逃してしまうことが起こり得る。
【０００６】
このような問題の回避に適用可能な技術の１つとして、特許文献１に記載された技術が考えられる。特許文献１には、通信機能付きカメラにおいて、通信機能付きカメラが撮影状態にあるか否かに応じて、他の機器からの着信通知の通知方法を変える技術が提案されている。この技術をウェアラブル機器と撮像装置とに適用したシステムとして、例えば、撮像装置の使用状況をウェアラブル機器で検知し、ウェアラブル機器が受信通知を受信したときの動作を撮像装置の使用状況に応じて制限するシステムが考えられる。
【先行技術文献】
【特許文献】
【０００７】
【特許文献１】特許第４４９７２４１号公報
【発明の概要】
【発明が解決しようとする課題】
【０００８】
例えば、試合中のスポーツ選手を撮影する場合、試合の間は撮像装置をいつでも撮影可能状態とし、試合の流れや周囲の状況に応じて、シャッタチャンスが近付いたと感じた時点で集中して撮影対象を追い始めることが多い。しかし、上記従来技術によれば、撮像装置が撮影可能状態にあると、ウェアラブル機器が受信通知を受信したときの動作が撮影状況とは無関係に制限されてしまうため、重要なメッセージの確認が遅れてしまうことが起こり得る。これに対して、ウェアラブル機器が受信通知を受信したことを撮影者が知ることができるようにするためには、一旦、撮像装置の撮影操作を停止させることが必要となり、この場合、唐突なシャッタチャンスへの対応を逃してしまうおそれがある。
【０００９】
本発明の目的は、撮像装置が撮影可能状態にあるときに、撮影者がファインダ等の表示装置から目を離すことなく、外部機器が受信した受信通知の内容を確認することができるようにするための技術を提供することにある。
【課題を解決するための手段】
【００１０】
本発明に係る撮像装置は、撮像手段と、撮影者が前記撮像手段による撮影を行うために操作する操作手段と、外部機器からの通知を受信する受信手段と、前記撮像手段が撮影する被写体と前記受信手段が受信した通知を表示する表示手段と、前記撮影者が前記表示手段を見ているか否かを検出する第１の検出手段と、前記撮影者が前記操作手段を操作しているか否かを検出する第２の検出手段と、前記撮影者が前記表示手段を見ており、且つ、前記操作手段を操作してない場合に前記表示手段に前記通知を表示し、前記撮影者が前記表示手段を見ていない場合と、前記撮影者が前記表示手段を見ており、且つ、前記操作手段を操作している場合には、前記表示手段に前記通知を表示しないように前記表示手段の表示を制御する制御手段と、を備えることを特徴とする。
【発明の効果】
【００１１】
本発明によれば、撮像装置が撮影可能状態にあるときに、撮影者はファインダの表示装置から目を離すことなく外部機器が受信した受信通知の内容の確認することができるようになる。
【図面の簡単な説明】
【００１２】
【図１】本発明の実施形態に係る撮像装置を有する通信システムの全体構成を示す図である。
【図２】図１の通信システムを構成する撮像装置の概略構成を示すブロック図である。
【図３】図２の撮像装置の表示部での表示例を示す図である。
【図４】図２の撮像装置のメモリに記憶される受信通知一覧における受信通知のデータ構成の一例を示す図である。
【図５】図２の撮像装置のシステム制御部による受信通知の表示判定処理のフローチャートである。
【図６】図１の通信システムを構成するウェアラブル機器の概略構成を示すブロック図である。
【図７】図６のウェアラブル機器のメモリに記憶される受信通知一覧における受信通知のデータ構成の一例を示す図である。
【図８】図６のウェアラブル機器の制御部による第１の例に係る受信通知の転送処理のフローチャートである。
【図９】図６のウェアラブル機器の制御部による第２の例に係る受信通知の転送処理のフローチャートである。
【発明を実施するための形態】
【００１３】
以下、本発明の実施形態について、添付図面を参照して詳細に説明する。
【００１４】
図１は、本発明の実施形態に係る撮像装置１０１を有する通信システム１００の全体構成を示す図である。通信システム１００は、撮像装置１０１、ウェアラブル機器１０２及びスマートフォン１０３を有する。撮像装置１０１は、例えば、デジタルスチルカメラやデジタルビデオカメラである。ウェアラブル機器１０２は、例えば、スマートウォッチ等であるが、これに限定されず、眼鏡や体温計、体組成計、ヘルメット等であってもよい。スマートフォン１０３は、携帯通信機器の一例である。本実施形態では、撮像装置１０１を操作する操作者、ウェアラブル機器１０２の装着者及びスマートフォン１０３の所有者は同一人物であるものとし、以下の説明では「撮影者」と称呼する。
【００１５】
撮像装置１０１とウェアラブル機器１０２とは、Ｂｌｕｅｔｏｏｔｈ（登録商標）等の無線通信技術を用いて通信を行うことができる。同様に、ウェアラブル機器１０２とスマートフォン１０３とは、Ｂｌｕｅｔｏｏｔｈ（登録商標）等の無線通信技術を用いて通信を行うことができる。
【００１６】
撮影者宛のメッセージが外部機器からメッセージサーバ１０４に送信されると、インターネット１０５とＬＴＥ基地局１０６を経由して、スマートフォン１０３がそのメッセージを受信する。なお、スマートフォン１０３が受信するメッセージには、例えば、電子メールやＳＮＳサービスからのメッセージ等がある。しかし、スマートフォン１０３がメッセージを受信しても、スマートフォン１０３がバッグ等に入れられた状態であれば、撮影者はスマートフォン１０３がメッセージを受信したことに気付かないことがある。
【００１７】
そこで、スマートフォン１０３は、Ｂｌｕｅｔｏｏｔｈ（登録商標）通信により、メッセージを受信したことを示す通知である受信通知をウェアラブル機器１０２へ送信する。ウェアラブル機器１０２は、受信通知を受信すると、振動等により受信通知の受信を撮影者に知らせる。これにより、撮影者は、スマートフォン１０３にメッセージが届いたことに気付くことができる。なお、このようにして外部機器から送信されたメッセージを受信可能な携帯通信機器として、スマートフォン１０３に代えて、例えば、携帯電話等の他のものを用いてもよい。
【００１８】
図２は、撮像装置１０１の概略構成を示すブロック図である。撮像装置１０１は、シャッタ２０１、バリア２０２、撮影レンズ２０３、Ｄ／Ａ変換器２１３、メモリ制御部２１５、記憶媒体Ｉ／Ｆ２１８、撮像部２２２、Ａ／Ｄ変換器２２３、画像処理部２２４、表示部２２８、メモリ２３２及び電源部２３０を有する。また、撮像装置１０１は、通信部２３３、システム制御部２５０、システムメモリ２５２、撮影者検知部２５４、不揮発性メモリ２５６、モード切替スイッチ２６０、レリーズボタン２６２、操作部２７０、電源スイッチ２７２及び電源制御部２８０を有する。更に、撮像装置１０１は、記憶媒体２９０の着脱が自在な構造を有する。
【００１９】
シャッタ２０１は、絞り機能を備え、撮像部２２２に対する露光量を制御する。バリア２０２は、撮像装置１０１の不使用時に撮影レンズ２０３の前面を覆うことで、撮影レンズ２０３を保護する。撮影レンズ２０３は、ズームレンズやフォーカスレンズ等を含む。撮像部２２２は、撮影レンズ２０３を通過した光が結像した光学像を電気信号に変換するＣＣＤやＣＭＯＳ等のイメージセンサ（撮像素子）を有する。Ａ／Ｄ変換器２２３は、撮像部２２２から出力されるアナログ信号をデジタル信号（画像データ）に変換する。
【００２０】
画像処理部２２４は、Ａ／Ｄ変換器２２３から出力された画像データやメモリ制御部２１５から取得した画像データに対して、画素補間、縮小等のリサイズ処理、色変換処理等の所定の画像処理を行う。また、画像処理部２２４は、撮像部２２２から取得した画像データを用いて所定の演算を行うことにより、システム制御部２５０が露光制御や測距制御を行うために用いるデータを生成する。これにより、システム制御部２５０は、ＴＴＬ（スルー・ザ・レンズ）方式のＡＦ（オートフォーカス）処理、ＡＥ（自動露出）処理、ＥＦ（フラッシュプリ発光）処理を行う。なお、画像処理部２２４は、撮像した画像データを用いて所定の演算処理を行い、演算結果に基づいてＴＴＬ方式のＡＷＢ（オートホワイトバランス）処理を行う。
【００２１】
Ａ／Ｄ変換器２２３から出力される画像データは、画像処理部２２４及びメモリ制御部２１５を介して、或いは、メモリ制御部２１５を介して、メモリ２３２に書き込まれる。メモリ２３２は、Ａ／Ｄ変換器２２３から出力された画像データや表示部２２８に表示するための画像データを格納する。メモリ２３２は、所定枚数の静止画像データや所定時間の動画像データ及び音声データを格納することが可能な十分な記憶容量を有する。なお、メモリ２３２は、画像表示用のメモリ（ビデオメモリ）を兼ねている。
【００２２】
Ｄ／Ａ変換器２１３は、メモリ２３２に格納されている画像表示用データをアナログ信号に変換して、表示部２２８へ供給する。これにより、メモリ２３２に書き込まれた表示用の画像データが、画像として表示部２２８に表示される。表示部２２８は、撮像装置１０１の背面に設けられた液晶ディスプレイ（ＬＣＤ）等のモニタや、撮像装置１０１に着脱自在に設けられた不図示の電子ビューファインダ等であり、Ｄ／Ａ変換器２１３から送信されてきたアナログ信号に基づく画像表示を行う。また、表示部２２８には、後述するように、ウェアラブル機器１０２から受信した受信通知を表示することができるようになっている。
【００２３】
不揮発性メモリ２５６は、電気的に消去と記憶が可能なメモリであり、例えば、ＥＥＰＲＯＭ等である。不揮発性メモリ２５６には、撮像装置１０１を動作させるための基本的なソフトウェアであるＯＳ（オペレーティングシステム）、ＯＳと協働して応用的な機能を実現するアプリケーション等の、システム制御部２５０が実行するプログラムが格納されている。また、不揮発性メモリ２５６には、システム制御部２５０の動作用定数や、図５を参照して後述するフローチャートの各処理を実行するためのプログラム等が記憶される。システム制御部２５０は、不揮発性メモリ２５６に格納されたプログラムをシステムメモリ２５２に展開することにより、撮像装置１０１で実行される後述の各種の処理を実現し、また、撮像装置１０１の全体的な制御を行う。システムメモリ２５２は、具体的には、ＲＡＭであり、システム制御部２５０の動作用の定数や変数が一時的に記憶され、また、不揮発性メモリ２５６から読み出したプログラム等が展開される。なお、撮像装置１０１は、１つのシステム制御部２５０が全体的制御を行う構成に限定されるものではなく、例えば、複数のＣＰＵを備え、複数のＣＰＵが処理を分担することで全体的制御が実現される構成であってもよい。
【００２４】
モード切替スイッチ２６０、レリーズボタン２６２、操作部２７０及び電源スイッチ２７２は、システム制御部２５０に各種の動作指示を入力するための操作手段である。モード切替スイッチ２６０は、撮像装置１０１の動作モードを、例えば、静止画撮像モード、動画撮像モード、再生モードのいずれかに設定するための操作手段である。レリーズボタン２６２は、半押し（撮影準備指示）でオンとなる第１のシャッタスイッチＳＷ１と、全押し（撮影指示）でオンとなる第２のシャッタスイッチＳＷ２とを有する。第１のシャッタスイッチＳＷ１がオンすると、システム制御部２５０は、ＡＦ処理、ＡＥ処理、ＡＷＢ処理、ＥＦ処理等を行う。第２のシャッタスイッチＳＷ２がオンすると、システム制御部２５０は、撮像部２２２での露光から記憶媒体２９０への画像データの書き込みまでの一連の撮影処理を行う。
【００２５】
操作部２７０は、４方向（十字）ボタン、ＳＥＴボタン、メニューボタン等の複数の操作部材を含む。操作部２７０の各種ボタンが表示部２２８に表示される種々の機能アイコンと連携して操作されることにより、撮像装置１０１における各種の機能設定や動作設定を行うための指示がシステム制御部２５０に与えられる。また、操作部２７０の１つとしてのタッチパネルを表示部２２８が有する場合には、表示部２２８に表示される種々の機能アイコンをタッチパネルにより操作することによって、操作された機能アイコンに対応する指示がシステム制御部２５０に与えられる。
【００２６】
電源スイッチ２７２は、撮像装置１０１の電源のオン／オフを切り替える。電源制御部２８０は、電池の装着の有無や電池の種類、電池残量の検出等を行う電池検出回路を有する。また、電源制御部２８０は、ＤＣ−ＤＣコンバータや通電するブロックを切り替えるスイッチ回路等を有し、システム制御部２５０の指示にしたがって、必要な電圧を必要な期間、記憶媒体２９０を含む各部へ供給する。電源部２３０は、アルカリ電池やリチウム電池等の一次電池、ＮｉＣｄ電池やＮｉＭＨ電池、Ｌｉ電池等の二次電池、ＡＣアダプタ等である。記憶媒体Ｉ／Ｆ２１８は、メモリカードやハードディスク等の記憶媒体２９０とシステム制御部２５０等との通信を可能とするインタフェースである。
【００２７】
通信部２３３は、ウェアラブル機器１０２との間で通信を行い、ウェアラブル機器１０２から受信通知を受信する。通信部２３３が受信した受信通知は、メモリ２３２に記憶される。撮影者検知部２５４は、表示部２２８の１つである電子ビューファインダへの接眼の有無を検知することで、撮影者が電子ビューファインダを見ているか否かを検知する。また、撮影者検知部２５４は、撮像装置１０１の背面に設けられたインカメラ部（不図示）で撮像された画像に対して顔認識処理を実行することにより、表示部２２８の１つである背面モニタを見ている人物（撮影者）がいるか否かを検知する。
【００２８】
システム制御部２５０は、操作部２７０やレリーズボタン２６２が操作中であるか否かを検出する。システム制御部２５０は、撮影者検知部２５４による検知結果とシステム制御部２５０による操作検出結果にしたがって、メモリ２３２に記憶された受信通知の内容を表示部２２８に表示するか否かを判定する。
【００２９】
図３は、撮像装置１０１の表示部２２８での表示例を示す図である。表示部２２８には、撮影中には撮像部２２２で撮影中の被写体像が表示され、画像再生中には撮影された画像等が表示される。その際に、通信部２３３が受信した受信通知が、上述した撮影者検知部２５４の検知結果及びシステム制御部２５０による操作検出結果に基づく、システム制御部２５０による判定結果にしたがって表示される。
【００３０】
図３（ａ）は、撮像装置１０１が撮影可能な状態にあり、撮像部２２２が取得している画像のみが表示部２２８に表示されている状態を示している。図３（ａ）は、例えば、撮像装置１０１が撮影可能な状態にあり、撮影者が主被写体３０１を含む画像の撮影を行うためのアクションを取っているとシステム制御部２５０が判定した場合の表示例である。
【００３１】
図３（ｂ）は、撮像装置１０１が撮影可能な状態にあり、撮像部２２２が取得している画像と共に、通知表示領域３０５が表示されている状態を示している。図３（ｂ）は、例えば、撮像装置１０１は撮影可能な状態にあるものの、撮影者が主被写体３０１を含む画像の撮像を行うためのアクションを取っていないとシステム制御部２５０が判定した場合の表示例である。
【００３２】
通知表示領域３０５は、受信通知の内容が表示される内容表示領域３０２を有する。また、通知表示領域３０５は、戻るボタン３０４及び消去ボタン３０３を含む。消去ボタン３０３には、メモリ２３２に記憶された受信通知一覧から、現在表示されている受信通知を消去する機能が割り当てられている。これにより、メモリ２３２から消去された受信通知を再び表示することはできなくなる。戻るボタン３０４には、現在表示されている受信通知の１つ前に受信した受信通知を表示する機能が割り当てられている。戻るボタン３０４と消去ボタン３０３の選択（押下）は、例えば、操作部２７０が有する４方向（十字）ボタンによって行うことができる。
【００３３】
表示部２２８が図３（ａ）又は図３（ｂ）のいずれの状態に制御されるかについての詳細については、図５のフローチャートを参照して後述する。
【００３４】
図４は、メモリ２３２に記憶される受信通知一覧における受信通知のデータ構成の一例を示す図である。各受信通知は、通知ＩＤ４０１、通知本文４０２、通知受信日時４０３の３つの情報を有する。通知ＩＤ４０１は、受信通知を識別するために、例えば、連番で各受信通知に付される。通知本文４０２は、例えば、スマートフォン１０３が受信したメッセージの差出人、件名（サブジェクト）等である。表示部２２８に表示される内容表示領域３０２には、通知受信日時４０３の最も新しい受信通知における通知本文４０２の内容が表示される。１つの受信通知が表示されている状態で消去ボタン３０３が選択（押下）されると、その時点で表示されている受信通知のデータがメモリ２３２から消去され、これにより、内容表示領域３０２での表示が消える。ある受信通知が表示されている状態で戻るボタン３０４が選択（押下）されると、内容表示領域３０２には、通知受信日時４０３がその受信通知の次に新しい受信通知の通知本文４０２の内容に変更される。
【００３５】
図５は、システム制御部２５０による受信通知の表示判定処理のフローチャートである。図５の各ステップは、システム制御部２５０が不揮発性メモリ２５６に格納された所定のプログラムをシステムメモリ２５２に展開することにより、撮像装置１０１の各部の動作及び処理を制御することによって実現される。
【００３６】
ステップＳ５０１においてシステム制御部２５０は、メモリ２３２内の受信通知一覧に受信通知が存在するか否かを判定する。通信部２３３が受信通知を受信していない場合や過去に受信した受信通知の全てが消去済みである場合には、メモリ２３２内の受信通知一覧には受信通知は存在しない。システム制御部２５０は、受信通知一覧に受信通知が存在する場合（Ｓ５０１でＹＥＳ）、処理をステップＳ５０２へ進め、受信通知一覧に受信通知が存在しない場合（Ｓ５０１でＮＯ）、処理をステップＳ５０６へ進める。
【００３７】
ステップＳ５０２においてシステム制御部２５０は、受信通知一覧にある受信通知の中で通知受信日時４０３の最も新しいもの（最新の受信通知）が、現在時刻よりも所定時間以内に受信した受信通知であるか否かを判定する。所定時間は、例えば、デフォルト値として、３０秒に設定することができるが、これに限定されるものではなく、また、撮影者による操作部２７０の操作によって変更可能となっていてもよい。システム制御部２５０は、最新の受信通知が所定時間以内に受信したものである場合（Ｓ５０２でＹＥＳ）、処理をステップＳ５０３へ進め、最新の受信通知が所定時間より前に受信したものである場合（Ｓ５０２でＮＯ）、処理をステップＳ５０６へ進める。
【００３８】
ステップＳ５０３においてシステム制御部２５０は、撮影者検知部２５４による検知結果に基づいて、撮影者が表示部２２８を閲覧しているか否かを判定する。システム制御部２５０は、撮影者が表示部２２８を閲覧している場合（Ｓ５０３でＹＥＳ）、処理をステップＳ５０４へ進め、表示部２２８を閲覧している撮影者がいない場合（Ｓ５０３でＮＯ）、処理をステップＳ５０６へ進める。
【００３９】
ステップＳ５０４においてシステム制御部２５０は、操作部２７０又はレリーズボタン２６２が操作されているか否かを確認する。システム制御部２５０は、操作部２７０又はレリーズボタン２６２が操作されている場合（Ｓ５０４でＹＥＳ）、処理をステップＳ５０６へ進め、操作部２７０又はレリーズボタン２６２が操作されていない場合（Ｓ５０４でＮＯ）、処理をステップＳ５０５へ進める。
【００４０】
ステップＳ５０５に進んだ場合の状況としては、撮像装置１０１は撮影可能状態にあり、撮影者が被写体の確認や追跡を行っているが、シャッタチャンスではないと判断しており、そのため、撮影操作を取っていない状況が挙げられる。この場合、撮影者に受信通知を知らせても、撮影に支障は生じない。そこで、ステップＳ５０５においてシステム制御部２５０は、表示部２２８に通知表示領域３０５を表示し、メモリ２３２内の受信通知一覧に存在する受信通知のうち最新の受信通知を内容表示領域３０２に表示する。これにより、撮影者は表示部２２８（電子ビューファインダ、撮像装置１０１の背面に設けられたモニタ）から目を離すことなく、最新の受信通知を確認することができる。
【００４１】
なお、ステップＳ５０２の判定処理に基づき、表示部２２８に通知表示領域３０５が表示される時間は、最長でステップＳ５０２の判定基準となる所定時間となり、所定時間経過後に、通知表示領域３０５の表示は自動的に表示部２２８から消える。また、ステップＳ５０２の判定基準となる所定時間内に撮像装置１０１が複数の受信通知を受信する場合が考えられる。この場合に、内容表示領域３０２での表示が最新の受信通知に更新される構成としてもよいし、２段以上の通知表示領域３０５が表示される構成としてもよい。システム制御部２５０は、ステップＳ５０５の処理の終了後に、処理をステップＳ５０１へ戻す。
【００４２】
一方、ステップＳ５０６においてシステム制御部２５０は、表示部２２８における通知表示領域３０５の表示を消去する（つまり、通知表示領域３０５を表示しない）。具体的には、受信通知一覧に受信通知が存在しない場合、現在時刻から所定時間以内に受信した受信通知が存在しない場合、撮影者が表示部２２８を閲覧していない場合には、表示部２２８に通知表示領域３０５は表示されない。更に、撮影者が撮影操作を行っている状況では、撮影者の注意が被写体からそれないように配慮する必要がある。そのため、撮影者が撮影操作を行っている場合にも、表示部２２８に通知表示領域３０５は表示されない。システム制御部２５０は、ステップＳ５０６の処理後に、処理をステップＳ５０１へ戻す。
【００４３】
このように、本実施形態では、所定時間以内に受信した受信通知が存在し、撮影者が、撮影操作を行っておらず、表示部２２８を見て撮影操作を行っている場合にのみ、表示部２２８に通知表示領域３０５を表示する。これにより、撮影者が撮影に集中している状況を妨げることなく、撮影者に最新の受信通知の内容を知らせることができる。
【００４４】
図６は、ウェアラブル機器１０２の概略構成を示すブロック図である。ウェアラブル機器１０２は、制御部６０１、不揮発性メモリ６０２、作業用メモリ６０３、操作部６０４、表示部６０５、生体情報検出部６０６、ＲＴＣ（Real Time Clock）６０７及び加速度検出部６０８を有する。また、ウェアラブル機器１０２は、記憶媒体Ｉ／Ｆ６０９、記憶媒体６１０、通信部６１１、タイマー６１２及び振動部６１３を有する。不揮発性メモリ６０２、作業用メモリ６０３、操作部６０４、表示部６０５、生体情報検出部６０６、ＲＴＣ６０７、加速度検出部６０８、記憶媒体Ｉ／Ｆ６０９、通信部６１１、タイマー６１２及び振動部６１３は、電気的に制御部６０１と接続されている。
【００４５】
制御部６０１は、ＣＰＵを有し、入力された信号を処理し、不揮発性メモリ６０２に格納されているプログラムを作業用メモリ６０３に展開することによって、ウェアラブル機器１０２を構成する各部を制御する。また、制御部６０１は、作業用メモリ６０３、表示部６０５等を制御して表示制御を行う。なお、ウェアラブル機器１０２は、１つの制御部６０１が全体的制御を行う構成に限定されるものではなく、例えば、複数のＣＰＵを備え、複数のＣＰＵが処理を分担することで全体的制御が実現される構成であってもよい。
【００４６】
不揮発性メモリ６０２は、電気的に消去と記憶が可能なメモリである。不揮発性メモリ６０２には、ウェアラブル機器１０２を動作させるための基本的なソフトウェアであるＯＳ（オペレーティングシステム）、ＯＳと協働して応用的な機能を実現するアプリケーション等の、制御部６０１が実行する各種のプログラムが格納されている。また、不揮発性メモリ６０２には、無線通信を行う対象機器である撮像装置１０１の固有情報と、撮像装置１０１との無線通信を実行するためのアプリケーションが格納されている。作業用メモリ６０３は、表示部６０５に表示する画像データを一時的に格納する領域と、制御部６０１がプログラムを展開する作業領域等を有する。
【００４７】
操作部６０４は、ウェアラブル機器１０２の装着者（撮影者）による各種の操作を受け付ける。操作部６０４は、ウェアラブル機器１０２の電源のオン／オフを切り換えるための電源ボタン、ＲＴＣ６０７を設定する操作部、表示部６０５に設けられる位置入力機能を有するタッチパネル等を含む。表示部６０５は、例えば、ＬＣＤ等であり、画像データや対話的な操作のためのアイコン、文字等を表示する。なお、表示部６０５は、ウェアラブル機器１０２と一体に構成されている必要はなく、ウェアラブル機器１０２とは異なる機器、例えば、タブレット端末の表示部を表示部６０５として用いてもよい。その場合、ウェアラブル機器１０２は、表示部を有する機器と接続することができ、少なくとも、その表示部での表示を制御する機能を有していればよい。
【００４８】
生体情報検出部６０６は、ウェアラブル機器１０２の装着者（撮影者）の脈拍、心拍、血流等の生体情報のうち少なくとも１つを所定の周期で検出する。生体情報検出部６０６は、具体的には、脈拍を検出する脈拍センサ、心拍を検出する心拍センサ、血流を検出する血流センサ、ウェアラブル機器１０２の利用者に対する着脱を検出する着脱センサの少なくとも１つを含む。なお、着脱センサは、導電性高分子等が皮膚と接触したときの電位変化を検出することで、利用者に対するウェアラブル機器１０２の着脱を検出する。
【００４９】
ＲＴＣ６０７は、時計管理を行い、現在の日時情報を生成して制御部６０１へ供給する。ＲＴＣ６０７は、時刻を管理することができればよく、例えば、操作部６０４によって設定された時刻、通信部６１１を介して取得した時刻情報を用いて設定した時刻又は電波時計によって捕捉した時刻のいずれかに基づいて計時を行う。これに限らず、ＲＴＣ６０７は、アナログ時計から時刻情報を入手することができるものであってもよく、この場合、ＲＴＣ６０７は、アナログ時計から時刻を検出する機能を有する。
【００５０】
加速度検出部６０８は、ウェアラブル機器１０２の加速度の変化を検出するセンサであり、検出した加速度情報を制御部６０１へ出力する。制御部６０１は、加速度検出部６０８から取得した加速度情報に基づき、撮影者がウェアラブル機器１０２の盤面を撮影者に向ける（具体的には、撮影者の目に向ける）動きをしたことを検知する。
【００５１】
記憶媒体Ｉ／Ｆ６０９は、記憶媒体６１０と制御部６０１との間の通信を可能とするためのインタフェースである。本実施形態では、ウェアラブル機器１０２は、記憶媒体６１０を備える構成としているが、これに限られず、記憶媒体６１０にアクセスする記憶媒体Ｉ／Ｆ６０９を有していればよい。つまり、記憶媒体６１０は、ウェアラブル機器１０２に着脱可能に構成されていてもよいし、ウェアラブル機器１０２に内蔵されていてもよい。記憶媒体６１０は、通信部６１１を介して撮像装置１０１から受信した画像データ等を記憶する。
【００５２】
通信部６１１は、アンテナを有し、外部機器と無線通信を行う。本実施形態では、ウェアラブル機器１０２は、通信部６１１を介して撮像装置１０１及びスマートフォン１０３と無線通信を行い、データの送受信を行う。通信部６１１は、撮像装置１０１及びスマートフォン１０３のそれぞれと通信を行うための、独立した２つの通信部を有していてもよいし、共通の１つの通信部を有するものであってもよい。
【００５３】
撮像装置１０１とウェアラブル機器１０２とは、直接に通信してもよいし、中継サーバを介して通信してもよい。撮像装置１０１とウェアラブル機器１０２との通信に用いられるプロトコルとしては、例えば、Ｂｌｕｅｔｏｏｔｈ（登録商標）の独自プロファイルがある。但し、これに限定されず、ウェアラブル機器１０２と撮像装置１０１との通信には、赤外線通信モジュール、無線ＬＡＮ通信モジュール、ワイヤレスＵＳＢ等の短距離無線通信モジュール等を用いることもできる。
【００５４】
ウェアラブル機器１０２と撮像装置１０１とは、事前にペアリングを行うことによって相互認証を行い、ウェアラブル機器１０２は、接続パラメータとしての固有情報を撮像装置１０１から取得して、不揮発性メモリ６０２に保持する。タイマー６１２は、各種制御に必要な時間の計測と、内蔵時計の時間の計測を行う。
【００５５】
通信部６１１がスマートフォン１０３から受信した受信通知は、作業用メモリ６０３に記憶される。制御部６０１は、スマートフォン１０３から受信通知を受信すると、振動部６１３を駆動して、振動を発生させる。これにより、撮影者は、スマートフォン１０３にメッセージが届いたことを知ることができる。なお、ウェアラブル機器１０２がスマートフォン１０３から受信通知を受信したことを撮影者に知らせる方法は、振動に限定されるものではない。
【００５６】
制御部６０１は、加速度検出部６０８から出力される加速度情報に基づいて、受信した受信通知を撮像装置１０１に転送するか否かを判定する。制御部６０１は、受信通知の転送が必要な場合、作業用メモリ６０３に記憶されている未転送の受信通知を、通信部６１１を介して撮像装置１０１へ送信する。
【００５７】
図７は、作業用メモリ６０３に記憶される受信通知一覧における受信通知のデータ構成の一例を示す図である。各受信通知は、通知ＩＤ７０１、通知本文７０２、通知転送日時７０３の３つの情報を有する。通知ＩＤ７０１と通知本文７０２はそれぞれ、図４を参照して説明した通知ＩＤ４０１と通知本文４０２に対応する。通知転送日時７０３には、スマートフォン１０３から受信した受信通知のうち、撮像装置１０１に転送されたものに対して日時が記憶される。
【００５８】
図７の受信通知一覧の場合、通知ＩＤ７０１が００００１２２，００００１２１の受信通知については、転送日時が通知転送日時７０３に記憶されていることから、撮像装置１０１に転送済みであることがわかる。一方、通知ＩＤ７０１が００００１２３の受信通知については、通知転送日時７０３に値が記憶されていないことから、撮像装置１０１へ未転送であることがわかる。
【００５９】
図８は、ウェアラブル機器１０２の制御部６０１による第１の例に係る受信通知の転送処理のフローチャートである。図８の各ステップは、制御部６０１が不揮発性メモリ６０２に格納された所定のプログラムを作業用メモリ６０３に展開することにより、ウェアラブル機器１０２の各部の動作及び処理を制御することによって実現される。
【００６０】
ステップＳ８０１において制御部６０１は、撮影者がウェアラブル機器１０２を身に付けているか否か（装着しているか否か）を生体情報検出部６０６の検出結果に基づいて判定する。例えば、生体情報検出部６０６が心拍センサである場合、心拍センサは、ＬＥＤ等を用いて皮膚に赤外光を照射し、体組織を透過した赤外光を受光センサで検出して信号処理することにより心拍を検出する。生体情報検出部６０６は、検出した生体情報を信号として制御部６０１へ出力する。
【００６１】
制御部６０１は、撮影者がウェアラブル機器１０２を身に付けていない場合（Ｓ８０１でＮＯ）、ステップＳ８０１の処理を繰り返す。よって、撮影者がウェアラブル機器１０２を身に付けていない場合には、作業用メモリ６０３の受信通知一覧に未転送の受信通知が記憶されていても、撮像装置１０１へ未転送の受信通知が転送されることはない。制御部６０１は、撮影者がウェアラブル機器１０２を身に付けている場合（Ｓ８０１でＮＯ）、処理をステップＳ８０２へ進める。
【００６２】
ステップＳ８０２において制御部６０１は、作業用メモリ６０３の受信通知一覧に未転送の受信通知があるか否かを、通知転送日時７０３の値に基づいて確認する。制御部６０１は、未転送の受信通知がある場合（Ｓ８０２でＹＥＳ）、処理をステップＳ８０３へ進め、未転送の受信通知がない場合（Ｓ８０２でＮＯ）、処理をステップＳ８０１へ戻す。
【００６３】
ステップＳ８０３において制御部６０１は、加速度検出部６０８から出力された加速度情報が、撮影者がウェアラブル機器１０２の盤面を撮影者へ向けるように回転させる動きを示すものか否かを判定する。制御部６０１は、ウェアラブル機器１０２の盤面を撮影者へ向ける動きを検知しない場合（Ｓ８０３でＮＯ）、処理をステップＳ８０１へ戻す。一方、ウェアラブル機器１０２の盤面を撮影者へ向ける動きを検知した場合（Ｓ８０３でＹＥＳ）、処理をステップＳ８０４へ進める。
【００６４】
ステップＳ８０４の実行時には、ステップＳ８０１の処理に基づき、作業用メモリ６０３の受信通知一覧には未転送の受信通知が格納されている。そこで、ステップＳ８０４において制御部６０１は、通信部６１１を介して未転送の受信通知を撮像装置１０１へ転送し、転送した受信通知の通知転送日時７０３の欄に転送日時を書き込む。制御部６０１は、ステップＳ８０４の終了後に、処理をステップＳ８０１へ戻す。
【００６５】
例えば、撮影者が撮像装置１０１での撮影操作を行っているときには、ウェアラブル機器１０２がメッセージを受信したことが撮影者に伝わっても、撮影者はウェアラブル機器１０２の盤面を撮影者自身に向けることは殆どない。そこで、ウェアラブル機器１０２の第１の例に係る受信通知の転送処理では、制御部６０１は、撮影者がウェアラブル機器１０２を所定の方向に動かした場合にのみ、スマートフォン１０３から受信したメッセージを撮像装置１０１に転送する構成としている。但し、このような構成に限定されず、ウェアラブル機器１０２の動きに関係なく、ウェアラブル機器１０２は、スマートフォン１０３から受信した受信通知を撮像装置１０１に転送する構成としてもよい。
【００６６】
次に、ウェアラブル機器１０２が受信通知を撮像装置１０１に転送する第２の例に係る受信通知の転送処理について説明する。上記第１の例に係る受信通知の転送処理では、ウェアラブル機器１０２の制御部６０１は、撮像装置１０１に対して撮影者がどのような状況にあるかを考慮せずに、受信通知を撮像装置１０１に転送する構成となっていた。これに対して、第２の例に係る受信通知の転送処理では、ウェアラブル機器１０２が撮像装置１０１に対する撮影者の状況を考慮して、スマートフォン１０３から受信した受信通知を撮像装置１０１に転送するか否かを判定する。
【００６７】
そのために、ウェアラブル機器１０２の制御部６０１は、通信部６１１を介して、撮像装置１０１から撮影状況に関する情報を取得する。撮影状況に関する情報は、撮影者が撮像装置１０１の表示部２２８を見ているか否か、及び、撮影者が操作部２７０又はレリーズボタン２６２を操作しているか否かを示す情報（撮影者検知部２５４による検知結果とシステム制御部２５０による操作検出結果）である。
【００６８】
そして、制御部６０１は、加速度検出部６０８から出力される加速度情報と撮像装置１０１から取得した撮影状況に関する情報とに基づいて、作業用メモリ６０３に記憶されている未転送の受信通知を撮像装置１０１へ転送するか否かを判定する。制御部６０１は、受信通知の転送が必要である場合、作業用メモリ６０３に記憶されている未転送の受信通知を、通信部６１１を介して撮像装置１０１へ送信する。
【００６９】
撮像装置１０１の通信部２３３は、ウェアラブル機器１０２からの受信通知の受信とウェアラブル機器１０２へ撮影状況に関する情報の送信を行うための、独立した通信部を有していてもよいし、共通の通信部を有するものであってもよい。同様に、ウェアラブル機器１０２の通信部６１１は、独立した通信部又は共通の通信部により、撮像装置１０１への受信通知の送信、撮像装置１０１からの撮影状況に関する情報の受信及びスマートフォン１０３からの受信通知の受信を行う構成とすることができる。なお、撮像装置１０１の表示部２２８での表示例は、図３（ｂ）の表示例から消去ボタン３０３を削除したものとなる。
【００７０】
図９は、ウェアラブル機器１０２の制御部６０１による第２の例に係る受信通知の転送処理のフローチャートである。図９の各ステップは、制御部６０１が不揮発性メモリ６０２に格納された所定のプログラムを作業用メモリ６０３に展開することにより、ウェアラブル機器１０２の各部の動作及び処理を制御することによって実現される。
【００７１】
ステップＳ９０１，Ｓ９０２，Ｓ９０３の処理内容はそれぞれ、図８のフローチャートを参照して説明したステップＳ８０１，Ｓ８０２，Ｓ８０３の処理内容と同じであるため、ここでの説明を省略する。
【００７２】
ウェアラブル機器１０２の盤面を撮影者へ向ける動きが検知された場合（Ｓ９０３でＹＥＳ）、ステップＳ９０４において制御部６０１は、通信部６１１を通じて撮像装置１０１から撮影状況に関する情報を取得する。そして、制御部６０１は、取得した情報に基づき、撮影者が撮像装置１０１の表示部２２８を見ているか否かを判定する。制御部６０１は、撮影者が表示部２２８を見ていない場合（Ｓ９０４でＮＯ）、未転送の受信通知を転送することなく処理をステップＳ９０１へ戻し、撮影者が表示部２２８を見ている場合（Ｓ９０４でＹＥＳ）、処理をステップＳ９０５へ進める。
【００７３】
ステップＳ９０５において制御部６０１は、ステップＳ９０４で取得した撮影状況に関する情報に基づき、撮影者が撮影操作を行っているか否か（操作部２７０又はレリーズボタン２６２が操作されているか否か）を判定する。撮影者が撮影操作を行っている場合（Ｓ９０５でＹＥＳ）、撮影の妨げとならないように受信通知の転送を行わないこととし、そのため、制御部６０１は、処理をステップＳ９０１へ戻す。一方、撮影者が撮影操作を行っていない場合（Ｓ９０５でＹＥＳ）、制御部６０１は、作業用メモリ６０３に記憶されている未転送の受信通知を、通信部６１１を介して撮像装置１０１へ転送する。その後、制御部６０１は、処理をステップＳ９０１へ戻す。
【００７４】
このように、第２の例に係る受信通知の転送処理では、撮影者が撮像装置１０１の表示部２２８を見ているが撮影操作を行っておらず、ウェアラブル機器１０２が所定方向へ動かされた場合にのみ、未転送の受信通知を撮像装置１０１に転送する。これにより、撮影者が撮影に集中している状況を妨げることなく、撮影者に最新の受信通知の内容を知らせることができる。
【００７５】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、スマートフォン１０３の利用者に対して、メッセージサーバ１０４、インターネット１０５及びＬＴＥ基地局１０６を経由して、利用者宛にメッセージが届いたことがスマートフォン１０３に知らされる形態について説明した。しかし、これに限られず、スマートフォン１０３に代えて、公衆無線ＬＡＮ（Ｗｉ-Ｆｉ（登録商標））基地局を経由して通信可能なタブレットＰＣ等を利用していた場合も、上記実施形態と同様に撮像装置１０１を動作させることができる。
【００７６】
本発明は、上述した実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７７】
１０１    撮像装置
１０２    ウェアラブル機器
１０３    スマートフォン
２２２    撮像部
２２８    表示部
２３３    通信部
２５０    システム制御部
２５４    撮影者検知部
３０２    内容表示領域
３０５    通知表示領域
６０１    制御部
６０６    生体情報検出部
６０８    加速度検出部
【図１】
2017092799.tif 000003
【図２】
2017092799.tif 000004
【図３】
2017092799.tif 000005
【図４】
2017092799.tif 000006
【図５】
2017092799.tif 000007
【図６】
2017092799.tif 000008
【図７】
2017092799.tif 000009
【図８】
2017092799.tif 000010
【図９】
2017092799.tif 000011